(57)【要約】【課題】  ギガビット・イーサネット（登録商標）におけるリンク断信号を対向装置によって検出することが可能な伝送装置の提供。【解決手段】  クライアント側ＣＨ１でリンク断が生じた場合、リンク情報制御部１４は、ギガビット・イーサネット（登録商標）終端部１１中のギガビット・イーサネット（登録商標）フレーム中のフロー情報ビットからリンク断信号を抽出し、フォーマット変換部１２へ送出する。フォーマット変換部１２は、ＣＨ１とＣＨ２のギガビット・イーサネット（登録商標）フレームを多重し、Sonet/SDH のペイロードへ変換し、ＳＤＨ終端部１３へと送出する。ＳＤＨ終端部１３は、リンク情報制御部１４よりリンク断信号をＳＯＨへ付加し、そのＳＯＨをフォーマット変換部１２で変換したSonet/SDH のペイロードへ付加し伝送区間へと送出する。【選択図】      図１                                                  
2006005506.tif 000002
【特許請求の範囲】
【請求項１】
ギガビット・イーサネット（登録商標）フレームをＳＯＮＥＴ（Synchronous  Optical Network  ）／ＳＤＨ（Synchronous Digital Hierarchy ）フレームに変換して伝送する伝送装置であって、
前記ギガビット・イーサネット（登録商標）フレーム中のフロー情報ビットからリンク断信号を抽出し、そのリンク断信号を前記ＳＯＮＥＴ／ＳＤＨフレームのＳＯＨ（Section Over Head ）へ付加して送出するリンク断信号送信手段を含むことを特徴とする伝送装置。
【請求項２】
ＳＯＮＥＴ（Synchronous  Optical Network  ）／ＳＤＨ（Synchronous Digital Hierarchy ）フレームをギガビット・イーサネット（登録商標）フレームに変換して伝送する伝送装置であって、
前記ＳＯＮＥＴ／ＳＤＨフレームのＳＯＨ（Section Over Head ）に付加されたリンク断信号を抽出し、そのリンク断信号を光停止信号として前記ギガビット・イーサネット  （登録商標）フレーム中のフロー情報ビットへ付加するリンク断信号受信手段を含むことを特徴とする伝送装置。
【請求項３】
前記リンク断信号送信手段は、前記ＳＯＨへ前記リンク断信号を付加するタイミングと、前記ギガビット・イーサネット（登録商標）フレームを前記ＳＯＮＥＴ／ＳＤＨフレームへ変換するタイミングとを同期させることを特徴とする請求項１記載の伝送装置。
【請求項４】
前記リンク断信号受信手段は、前記ＳＯＨから前記リンク断信号を抽出し、そのリンク断信号を光停止信号として前記ギガビット・イーサネット（登録商標）フレーム中のフロー情報ビットへ付加するタイミングと、前記ＳＯＮＥＴ／ＳＤＨフレームを前記ギガビット・イーサネット（登録商標）フレームへ変換するタイミングとを同期させることを特徴とする請求項２記載の伝送装置。
【請求項５】
請求項１または３記載の伝送装置と、請求項２または４記載の伝送装置と、前記２つの伝送装置間に接続される伝送路とから構成されることを特徴とする伝送システム。
【請求項６】
ギガビット・イーサネット（登録商標）フレームをＳＯＮＥＴ（Synchronous Optical Network）／ＳＤＨ（Synchronous Digital Hierarchy ）フレームに変換して伝送する伝送方法であって、
前記ギガビット・イーサネット（登録商標）フレーム中のフロー情報ビットからリンク断信号を抽出し、そのリンク断信号を前記ＳＯＮＥＴ／ＳＤＨフレームのＳＯＨ（Section Over Head ）へ付加して送出するリンク断信号送信ステップを含むことを特徴とする伝送方法。
【請求項７】
ＳＯＮＥＴ（Synchronous Optical Network）／ＳＤＨ（Synchronous Digital Hierarchy ）フレームをギガビット・イーサネット（登録商標）フレームに変換して伝送する伝送方法であって、
前記ＳＯＮＥＴ／ＳＤＨフレームのＳＯＨ（Section Over Head ）に付加されたリンク断信号を抽出し、そのリンク断信号を光停止信号として前記ギガビット・イーサネット（登録商標）フレーム中のフロー情報ビットへ付加するリンク断信号受信ステップを含むことを特徴とする伝送方法。
【請求項８】
前記リンク断信号送信ステップは、前記ＳＯＨへ前記リンク断信号を付加するタイミングと、前記ギガビット・イーサネット（登録商標）フレームを前記ＳＯＮＥＴ／ＳＤＨフレームへ変換するタイミングとを同期させることを特徴とする請求項６記載の伝送方法。
【請求項９】
前記リンク断信号受信ステップは、前記ＳＯＨから前記リンク断信号を抽出し、そのリンク断信号を光停止信号として前記ギガビット・イーサネット（登録商標）フレーム中のフロー情報ビットへ付加するタイミングと、前記ＳＯＮＥＴ／ＳＤＨフレームを前記ギガビット・イーサネット（登録商標）フレームへ変換するタイミングとを同期させることを特徴とする請求項７記載の伝送方法。
【発明の詳細な説明】
【技術分野】
【０００１】
本発明は、伝送装置およびこれを用いた伝送システムならびに伝送方法に関し、特にギガビット・イーサネット（登録商標）フレームをＳＯＮＥＴ（Synchronous Optical Network）／ＳＤＨ（Synchronous Digital Hierarchy）フレームに変換して伝送する伝送装置およびこれを用いた伝送システムならびに伝送方法に関する。
【背景技術】
【０００２】
図６は従来のこの種の伝送システムの一例の構成図である。同図を参照すると、従来のこの種の伝送システムの一例はクライアント側伝送装置１００（以下、伝送装置１００と記す）と、リモート側伝送装置２００（以下、伝送装置２００と記す）と、伝送路３００とから構成される。
【０００３】
伝送装置１００へはギガビット・イーサネット（登録商標）規格に準拠したフレームが入力され、伝送装置２００からはギガビット・イーサネット（登録商標）規格に準拠したフレームが出力される。
【０００４】
伝送装置１００はギガビット・イーサネット（登録商標）終端部１０１と、フォーマット変換部１０２と、ＳＤＨ終端部１０３とを含んでいる。
【０００５】
ギガビット・イーサネット（登録商標）終端部１０１はチャネル１（ＣＨ１）とチャネル２（ＣＨ２）の二つのインターフェースを持ち、データフレームを一例として１０ビット／８ビット変換する機能を有する。
【０００６】
フォーマット変換部１０２はＣＨ１とＣＨ２のギガビット・イーサネット（登録商標）フレームを多重分離し、ＳＯＮＥＴ／ＳＤＨペイロードへ変換する機能を有する。
【０００７】
ＳＤＨ終端部１０３は、ＳＯＮＥＴ／ＳＤＨペイロードにＳＤＨのＳＯＨ（Section Over Head ）を付加する機能を有する。
【０００８】
伝送装置２００はギガビット・イーサネット（登録商標）終端部２０１と、フォーマット変換部２０２と、ＳＤＨ終端部２０３とを含んでいる。なお、これら各部２０１〜２０３の機能は伝送装置１００内のものと同様であるため、説明を省略する。
【０００９】
次に、従来の伝送システムの一例の構成について説明する。図６を参照すると、クライアント側からの入力光は光／電気信号（Ｏ／Ｅ）変換された後、ギガビット・イーサネット（登録商標）終端部１０１に入力され、１０ビット／８ビット変換される。
【００１０】
今、クライアント側ＣＨ１でリンク断が発生した場合、リンク断信号がギガビット・イーサネット（登録商標）フレームへと付加されるがギガビット・イーサネット（登録商標）終端部１０１で１０ビット／８ビット変換される際フロー情報ビットであるリンク断信号は破棄され、変換されたギガビット・イーサネット（登録商標）フレームは、フォーマット変換部１０２へと送出される。
【００１１】
フォーマット変換部１０２では、ＣＨ１とＣＨ２のギガビット・イーサネット（登録商標）フレームフレームが多重された後、ＳＯＮＥＴ／ＳＤＨペイロードへ変換され、変換されたＳＯＮＥＴ／ＳＤＨペイロードはＳＤＨ終端部１０３へ送出される。
【００１２】
ＳＤＨ終端部１０３では、ＳＯＮＥＴ／ＳＤＨのペイロードにＳＯＨが付加され、ＳＯＮＥＴ／ＳＤＨフレームとして、伝送路３００を経由して対向する伝送装置２００へと送出される。
【００１３】
伝送装置２００のＳＤＨ終端部２０３では、ＳＯＮＥＴ／ＳＤＨフレームのＳＯＨが破棄され、ペイロードがフォーマット変換部２０２へと送出される。
【００１４】
フォーマット変換部２０２ではＳＯＮＥＴ／ＳＤＨペイロードがＣＨ１とＣＨ２に分離され、分離したＳＯＮＥＴ／ＳＤＨペイロードはギガビット・イーサネット（登録商標）フレームへと変換され、ギガビット・イーサネット（登録商標）終端部２０１へ送出される。
【００１５】
ギガビット・イーサネット（登録商標）終端部２０１では、ギガビット・イーサネット（登録商標）フレームが８ビット／１０ビット変換され、さらにＥ／Ｏ変換された後リモート側へと送出される。
【００１６】
図７はギガビット・イーサネット（登録商標）のフレーム中のフロー情報ビットのビットマップを示す説明図である。同図を参照すると、ビットＤ０〜Ｄ４は予約ビット、Ｄ５はＦＤ（Full Duplex ）、Ｄ６はＨＤ（Half Duplex ），Ｄ７はＰＳ１（Symmetric PAUS）、Ｄ８はＰＳ２（Asymmetric PAUSE）、Ｄ９〜Ｄ１１は予約、Ｄ１２，Ｄ１３はＲＦ１，ＲＦ２（Remote Fault１，2 ）、Ｄ１４はＡＣＫ（Acknowledge ）を示している。
【００１７】
具体的に説明すると、Ｄ５は装置が全二重モードのサポートであることを示し、Ｄ６は装置が半二重モードのサポートであることを示す。
【００１８】
Ｄ７は装置が対称のフロー制御をサポートすることを示す。すなわち、装置はＩＥＥＥ８０２．３ｘに基づく光出力停止フレーム（光停止信号）の受信と送信の両方の機能をサポートする。
【００１９】
Ｄ８は装置が非対称のフロー制御をサポートすることを示す。Ｄ１２，１３はリンクにエラーを検知したことを示すリンク断信号である。Ｄ１４は相手装置のコンフィグ・レジスタを正しく受け取ったことを示す。
【００２０】
図８はフロービット中のリンク断信号の詳細定義を示す図である。同図を参照すると、ＦＲ１はＤ１２，ＲＦ２はＤ１３にそれぞれ相当し、ＦＲ１、ＦＲ２が“０，０”の場合はリンク正常（デフォルト）を、“０，１”の場合はオフラインを、“１，０”の場合はリンク断（リンク断信号）を、“１，１”の場合はオート・ネゴシエーション・エラーをそれぞれ示す。
【００２１】
図９はＳＯＮＥＴ／ＳＤＨにおけるＳＴＭ(Synchronous Transfer Mode) １フレーム構成（ＳＯＨとペイロード部分）を示す図である。同図を参照すると、ＳＴＭ１フレーム４００はＳＯＨ４０１，４０２と、ＡＵポインタ（ＡＵＰＴＲ）４０３と、ペイロード４０４とから構成される。
【００２２】
しかし、従来のこの種の伝送システムでは、ギガビット・イーサネット（登録商標）のフレーム中のリンク断信号やオートネゴシエーション情報は、１０ビット／８ビット変換する際フロー情報ビットが破棄されるため、ギガビット・イーサネット（登録商標）のＳＯＮＥＴ／ＳＤＨ信号への多重方法（Gigabit Ethernet（登録商標） over Sonet/SDH）においてフロー制御を行うことができない。
【００２３】
一方、フレーム中のリンク断信号を対向装置に伝えるために、イーサネット（登録商標）のＳＯＮＥＴ／ＳＤＨ信号への多重方法（Ethernet（登録商標） over Sonet/SDH ）におけるイーサネット（登録商標）フレーム中のリンク断信号をＳＯＮＥＴ／ＳＤＨフレーム中に付加する方式が知られているが、フレームのフォーマットがギガビット・イーサネット（登録商標）と異なることおよび規格自体が全く異なることから、これをそのままギガビット・イーサネット（登録商標）に適用することができない（特許文献１参照）。
【００２４】
また、ギガビット・イーサネット（登録商標）のＳＯＮＥＴ／ＳＤＨ信号への多重方法（Gigabit Ethernet（登録商標） over Sonet/SDH ）においてもギガビット・イーサネット（登録商標）中のリンク断信号を対向装置へと伝えるためにSonet/SDH フレーム中に付加する方式は存在するが、リンク断信号をSonet/SDH フレーム中のペイロード中に付加するため、ＣＨ１でリンク断が発生した際、ＣＨ１のリンク断信号がSonet/SDH フレーム中のペイロード中に付加されるためＣＨ２の主信号領域が狭まってしまうという欠点がある。また、リンク断信号は、図９に示すVC-4or(VC-3+FS)*3 （ペイロード）４０４のある特定ビットに制御ビットを設けて付加される（特許文献２参照）。
【００２５】
【特許文献１】特開２００３−６０６０３号公報（段落００２２〜００２４、図３）
【特許文献２】特開２００１−３０８８６９号公報（第３頁、段落４、第４６行〜第５０行）
【発明の開示】
【発明が解決しようとする課題】
【００２６】
第１の問題点は、ギガビット・イーサネット（登録商標）のＳＯＮＥＴ／ＳＤＨ信号への多重方法（Gigabit Ethernet（登録商標） over Sonet/SDH ）においてギガビット・イーサネット（登録商標）におけるリンク断信号が、対向装置によって検出されないということである。
【００２７】
その理由は、ギガビット・イーサネット（登録商標）フレームが終端時に１０ビット／８ビット変換する際に、ギガビット・イーサネット（登録商標）フレームにおけるリンク断信号（フロー情報ビット）が破棄され、Sonet/SDH フレームに付加されないためである。
【００２８】
第２の問題点は、ギガビット・イーサネット（登録商標）のＳＯＮＥＴ／ＳＤＨ信号への多重方法（Gigabit Ethernet（登録商標） over Sonet/SDH ）においてギガビット・イーサネット（登録商標）におけるリンク断信号が発生した際に、クライアント側伝送装置においてオートネゴシエーションによる対向装置のフロー制御ができないということである。
【００２９】
その理由は、第1 の問題点として挙げたリンク断信号が対向装置によって検出されないため対向装置はフロー制御のタイミングを知りえないためである。
【００３０】
第３の問題は、特許文献２記載の技術に示すように、ギガビット・イーサネット（登録商標）フレームにおけるリンク断信号（フロー情報ビット）をSonet/SDH フレームのペイロードに付加した際、クライアント側のチャネル数が複数だった場合１つのチャネルでリンク断信号が発生した際に他チャネルの主信号帯域が狭まってしまうことである。
【００３１】
その理由は、クライアント側の１つのチャネルでリンク断が発生した際、ギガビット・イーサネット（登録商標）フレーム中のリンク断信号をSonet/SDH フレームのペイロード部分に常時リンク断信号が付加されてしまうので、必然的に他チャネルの信号領域が減ってしまうためである。
【００３２】
そこで本発明の目的は、ギガビット・イーサネット（登録商標）におけるリンク断信号を対向装置によって検出することができ、これにより対向装置のフロー制御が可能で、かつSonet/SDH フレームのペイロード部分の信号領域を減らすことのない伝送装置およびこれを用いた伝送システムならびに伝送方法を提供することにある。
【課題を解決するための手段】
【００３３】
前記課題を解決するために本発明による伝送装置は、ギガビット・イーサネット（登録商標）フレームをＳＯＮＥＴ（Synchronous Optical Network ）／ＳＤＨ（Synchronous Digital Hierarchy ）フレームに変換して伝送する伝送装置であって、前記ギガビット・イーサネット（登録商標）フレーム中のフロー情報ビットからリンク断信号を抽出し、そのリンク断信号を前記ＳＯＮＥＴ／ＳＤＨフレームのＳＯＨ（Section Over Head ）へ付加して送出するリンク断信号送信手段を含むことを特徴とする。
【００３４】
また、本発明による他の伝送装置は、ＳＯＮＥＴ（Synchronous Optical Network ）／ＳＤＨ（Synchronous Digital Hierarchy ）フレームをギガビット・イーサネット（登録商標）フレームに変換して伝送する伝送装置であって、前記ＳＯＮＥＴ／ＳＤＨフレームのＳＯＨ（Section Over Head ）に付加されたリンク断信号を抽出し、そのリンク断信号を光停止信号として前記ギガビット・イーサネット（登録商標）フレーム中のフロー情報ビットへ付加するリンク断信号受信手段を含むことを特徴とする。
【００３５】
また、本発明による伝送システムは、上記２つの伝送装置と、その伝送装置間に接続される伝送路とから構成されることを特徴とする。
【００３６】
また、本発明による伝送方法は、ギガビット・イーサネット（登録商標）フレームをＳＯＮＥＴ（Synchronous Optical Network ）／ＳＤＨ（Synchronous Digital Hierarchy ）フレームに変換して伝送する伝送方法であって、前記ギガビット・イーサネット（登録商標）フレーム中のフロー情報ビットからリンク断信号を抽出し、そのリンク断信号を前記ＳＯＮＥＴ／ＳＤＨフレームのＳＯＨ（Section Over Head ）へ付加して送出するリンク断信号送信ステップを含むことを特徴とする。
【００３７】
また、本発明による他の伝送方法は、ＳＯＮＥＴ（Synchronous Optical Network ）／ＳＤＨ（Synchronous Digital Hierarchy ）フレームをギガビット・イーサネット（登録商標）フレームに変換して伝送する伝送方法であって、前記ＳＯＮＥＴ／ＳＤＨフレームのＳＯＨ（Section Over Head ）に付加されたリンク断信号を抽出し、そのリンク断信号を光停止信号として前記ギガビット・イーサネット（登録商標）フレーム中のフロー情報ビットへ付加するリンク断信号受信ステップを含むことを特徴とする。
【００３８】
本発明によれば、ギガビット・イーサネット（登録商標）フレーム中のフロー情報ビットに含まれるリンク断信号はＳＯＮＥＴ／ＳＤＨフレームのＳＯＨ（Section Over Head ）へ付加されて送出される。
【発明の効果】
【００３９】
本発明によれば、上記構成を有することにより、ギガビット・イーサネット（登録商標）におけるリンク断信号を対向装置によって検出することができ、これにより対向装置のフロー制御が可能で、かつSonet/SDH フレームのペイロード部分の信号領域を減らさないという効果がある。
【００４０】
具体的には、ギガビット・イーサネット（登録商標）のＳＯＮＥＴ／ＳＤＨ信号への多重方法（Gigabit Ethernet（登録商標） over Sonet/SDH ）においてリンク断信号を対向装置に送信することが可能となるため、オートネゴシエーションリンク断のフロー制御が可能となる。
【００４１】
また、チャネル１でリンク断が発生した際、主信号内にリンク断信号用の監視用パケットを生成することなく、ＳＯＨ領域を使用してリンク断信号を転送するため、Sonet/SDH のペイロード領域をチャネル２の主信号がフルに使用可能となるため主信号の帯域の有効活用が可能となる。
【００４２】
さらに、監視系端末を使用せずハードウェア的にリンク断検出を実現するため即時に対処が可能であり、コストの削減を図ることが可能となる。
【発明を実施するための最良の形態】
【００４３】
以下、本発明の実施例について添付図面を参照しながら説明する。図１は本発明に係る伝送システムの一例の構成図である。
【００４４】
本発明に係る伝送システムの一例はクライアント側伝送装置１０（以下、伝送装置１０と記す）と、リモート側伝送装置２０（以下、伝送装置２０と記す）と、伝送装置３０と、伝送路３００および３０１とから構成される。そして、伝送装置１０と伝送装置２０とが伝送路３００を介して対向しており、伝送装置２０と伝送装置３０とが伝送路３０１を介して対向している。
【００４５】
同図において、伝送装置１０のギガビット・イーサネット（登録商標）終端部１１は、チャネル１（ＣＨ１）とチャネル２（ＣＨ２）の二つのインターフェースを持ち、データフレームを１０ビット／8 ビット変換する機能を有する。
【００４６】
フォーマット変換部１２は、ＣＨ１とＣＨ２のギガビット・イーサネット（登録商標）フレームを多重分離し、Sonet/SDH ペイロードへ変換する機能を有する。
【００４７】
ＳＤＨ終端部１３は、Sonet/SDH ペイロードにＳＤＨのＳＯＨ（Section Over Head ）を付加する機能を有する。
【００４８】
リンク情報制御部１４は、ギガビット・イーサネット（登録商標）終端部１１よりクライアント側でのリンク断信号が発生した際に、リンク断信号を抽出し、ＳＤＨ終端部１３のＳＯＨへリンク断信号を付加する機能と、ＳＤＨ終端部１３でSonet/SDH フレームのＳＯＨにリンク断信号が付加されていた際、ギガビット・イーサネット（登録商標）終端部１１のギガビット・イーサネット（登録商標）フレームのフロー情報ビット中に光停止信号を付加する機能を有する。
【００４９】
また、装置内クロックカウンタ１５は、リンク情報制御部１４とギガビット・イーサネット（登録商標）終端部１１との同期をとる機能と、リンク情報制御部１４とＳＤＨ終端部１３との同期をとる機能を有する。
【００５０】
伝送装置１０において、クライアント側からの入力光はＯ／Ｅ変換され、ギガビット・イーサネット（登録商標）終端部１１に送出される。クライアント側ＣＨ１でリンク断が生じた場合、リンク情報制御部１４は、ギガビット・イーサネット（登録商標）終端部１１中のギガビット・イーサネット（登録商標）フレーム中のフロー情報ビットからリンク断信号を抽出し、１０ビット／8 ビット変換し、変換したギガビット・イーサネット（登録商標）フレームをフォーマット変換部１２へ送出する。
【００５１】
フォーマット変換部１２は、ＣＨ１とＣＨ２のギガビット・イーサネット（登録商標）フレームを多重し、Sonet/SDH のペイロードへ変換し、ＳＤＨ終端部１３へと送出する。
【００５２】
ＳＤＨ終端部１３は、装置内クロックカウンタ１５よりリンク情報制御部１４との同期をとりながらリンク情報制御部１４よりリンク断信号をＳＯＨへ付加し、そのＳＯＨをフォーマット変換部１２で変換したSonet/SDH のペイロードへ付加し伝送区間へと送出する。
【００５３】
対向装置（伝送装置２０）では、ＳＤＨ終端部２３にてＳＯＨに付加されているリンク断信号がリンク情報制御部２４へ送出されるとともに、ＳＯＨが破棄され、ＳＯＨ破棄後の信号はフォーマット変換部２２に送出される。
【００５４】
フォーマット変換部２２においてSonet/SDH ペイロードはギガビット・イーサネット（登録商標）フレームに変換され、変換されたギガビット・イーサネット（登録商標）フレームはＣＨ1 とＣＨ２のギガビット・イーサネット（登録商標）フレームに分離され、ギガビット・イーサネット（登録商標）終端部２１へと送出される。
【００５５】
ギガビット・イーサネット（登録商標）終端部２１では、データフレームを８ビット／１０ビット変換する際、装置内クロックカウンタ２５でリンク情報制御部２４との同期をとり、リンク情報制御部２４からリンク断信号を光停止信号としてギガビット・イーサネット（登録商標）フレームのフロー情報ビットへと付加し、Ｅ／Ｏ変換しリモート側へと送出し、伝送装置２０のＣＨ１の対向装置である伝送装置３０へとギガビット・イーサネット（登録商標）フレームを送出する。
【００５６】
伝送装置３０は、ギガビット・イーサネット（登録商標）フレームのフロー情報ビット中の光停止信号を受信し、オートネゴシエーション機能により伝送装置３０の送信光出力を停止する。
【００５７】
以上のように、伝送装置１０のギガビット・イーサネット（登録商標）のフロー情報ビット中のリンク断信号をSonet/SDH のＳＯＨに付加することにより、伝送装置２０にリンク断信号を伝達させることが可能となり、オートネゴシエーション機能により、フロー制御も可能となる。
【００５８】
図２はクライアント側で受信されたデータフレームがリモート側に送信されるまでの処理の一連の流れを示すフローチャート、図３はリモート側で受信されたデータフレームがクライアント側に送信されるまでの一連の流れを示すフローチャートである。
【００５９】
図４はＳＤＨフレーム中のＳＯＨのビットマップの一例を示す図であり、同図の斜線部分は、外部から書き込み可能なバイトを示す。同図において、Ａ１，Ａ２はフレーム同期バイト、Ｃ１はフレーム識別バイト、Ｂ１は中継セクション誤り監視バイト、Ｅ１は中継セクション音声打ち合わせバイト、Ｆ１は中継セクション故障特定バイト、Ｂ２はセクション誤り監視バイト、Ｋ１，Ｋ２はセクション切替制御バイト、Ｄ１〜Ｄ３は中継セクションデータ通信バイト、Ｄ４〜Ｄ１２はセクションデータ通信バイト、Ｚ１，Ｚ２は予備バイト、ＮＵ１〜ＮＵ３８は予備バイト（Bytes reserved for National Use ）である。
【００６０】
図５はリンク断信号をSonet/SDH フレーム中のＳＯＨに付加する際のタイムチャートである。図１のリンク情報制御部１４は、図５の装置内１９．４４MHｚクロック（図１の装置内クロックカウンタ１５がカウントするクロック）によりフレームパルスを生成し、ＳＯＨ開始ビットの積算を行い、Sonet/SDH のリンク断信号ビットにリンク断信号を付加して図１のＳＤＨ終端部１３へと送出する。
【００６１】
次に、本発明に係る伝送システムの動作について図２〜５を参照しながら詳細に説明する。
【００６２】
クライアント側からのギガビット・イーサネット（登録商標）フレームが、ギガビット・イーサネット（登録商標）終端部１１へ到達すると（図２のステップＳ１）、ギガビット・イーサネット（登録商標）フレーム中のフロー制御ビットにリンク断信号の有無を調べ（図２ステップＳ２）、有る場合は、リンク情報制御部１４にリンク断信号の抽出を行う（図２ステップＳ６）と伴に、ギガビット・イーサネット（登録商標）終端部１１にて１０ビット／８ビット変換を行い（図２ステップＳ３）、フォーマット変換部１２にてギガビット・イーサネット（登録商標）をＣＨごとに多重し、Sonet/SDH ペイロードへと変換を行い（図２ステップＳ４）、ＳＤＨ終端部１３にてSonet/SDH のＳＯＨを付加する（図６ステップＳ５）。
【００６３】
この後、ＳＤＨ終端部１３とリンク情報制御部１４との同期をとり、Sonet/SDH のＳＯＨにリンク断信号を付加し、リモート側へと送信する（図２ステップＳ７）。
【００６４】
一方、図２ステップＳ２にて、リンク断信号が無い場合は、ステップＳ３，Ｓ４，Ｓ５のみを実行し、次いでステップＳ７を実行する。
【００６５】
また、図２ステップＳ７で、リンク断信号をSonet/SDH のＳＯＨに付加する際、図４のＳＯＨのビットマップ中のＣ１（フレーム識別バイト）、Ｅ１( 中継セクション音声打ち合わせバイト) 、Ｆ１（中継セクション故障特定バイト）、Ｄ１〜Ｄ３（中継セクションデータ通信バイト）、Ｄ４〜Ｄ１２（セクションデータ通信バイト）、Ｚ１，Ｚ２（予備バイト）、ＮＵ１〜ＮＵ３８（Byte reserved for National Use）の現在ＳＤＨで未使用バイトにリンク断信号ビットを設けて付加する。
【００６６】
また、Sonet/SDH のＳＯＨに付加する際の付加タイミングについては図５のタイムチャートのように、装置内のクロックを参照して同期をとりながらリンク断信号を付加する。
【００６７】
一方、リモート側からのSonet/SDH フレームが、ＳＤＨ終端部１３へ到達すると( 図３のステップＳ１１ )、Sonet/SDH のＳＯＨフレーム中のリンク断信号ビット中に信号の有無を調べ( 図３ステップＳ１２) 、有る場合は、リンク情報制御部１４にてリンク断信号の抽出を行い（図３ステップＳ１５）、Sonet/SDH フレームを終端すると伴に、フォーマット変換部１２にてSonet/SDH ペイロードをギガビット・イーサネット（登録商標）フレームへと変換し、ギガビット・イーサネット（登録商標）フレームをＣＨごとに分離し( 図３ステップＳ１３) 、ギガビット・イーサネット（登録商標）終端部１１にて８ビット／１０ビット変換を行う( 図３ステップＳ１４) 。
【００６８】
この後、ギガビット・イーサネット（登録商標）終端部１１とリンク情報制御部１４との同期をとり、ギガビット・イーサネット（登録商標）フロー情報ビットに光停止信号を付加しクライアント側へと送信する( 図３ステップＳ１６) 。
【００６９】
一方、図３ステップＳ１２にて、リンク断信号ビット中に信号が無い場合は、ステップＳ１３，Ｓ１４のみを実行し、次いでステップＳ１６を実行する。
【図面の簡単な説明】
【００７０】
【図１】本発明に係る伝送システムの一例の構成図である。
【図２】クライアント側で受信されたデータフレームがリモート側に送信されるまでの処理の一連の流れを示すフローチャートである。
【図３】リモート側で受信されたデータフレームがクライアント側に送信されるまでの一連の流れを示すフローチャートである。
【図４】ＳＤＨフレーム中のＳＯＨのビットマップの一例を示す図である。
【図５】リンク断信号をSonet/SDH フレーム中のＳＯＨに付加する際のタイムチャートである。
【図６】従来のこの種の伝送システムの一例の構成図である。
【図７】ギガビット・イーサネット（登録商標）のフレーム中のフロー情報ビットのビットマップを示す説明図である。
【図８】フロービット中のリンク断信号の詳細定義を示す図である。
【図９】ＳＯＮＥＴ／ＳＤＨにおけるＳＴＭ(Synchronous Transfer Mode) １フレーム構成（ＳＯＨとペイロード部分）を示す図である。
【符号の説明】
【００７１】
１０  クライアント側伝送装置
１１、２１  ギガビット・イーサネット（登録商標）終端部
１２、２２  フォーマット変換部
１３、２３  ＳＤＨ終端部
１４、２４  リンク情報制御部
１５、２５  装置内クロックカウンタ
２０  リモート側伝送装置
３０  伝送装置
３００，３０１  伝送路
【図１】
2006005506.tif 000003
【図２】
2006005506.tif 000004
【図３】
2006005506.tif 000005
【図４】
2006005506.tif 000006
【図５】
2006005506.tif 000007
【図６】
2006005506.tif 000008
【図７】
2006005506.tif 000009
【図８】
2006005506.tif 000010
【図９】
2006005506.tif 000011